(57)【要約】    【課題】本発明は、静圧に対する高い強度を有すると共に、小型化を図ることができる三脚座を提供する。    【解決手段】三脚座２０１は、三脚座本体６０２と、三脚座本体６０２とは別部材として形成されると共に、三脚座本体６０２の一方の面に締結される天面部材６０１と、三脚座本体６０２を貫通すると共に三脚が備えるネジが螺合される雌ネジ６０３とを備え、天面部材は、雌ネジ６０３に対応する位置において三脚座本体６０２と反対の面に形成された凸形状６０８と、凸形状６０８に対応する位置において三脚座本体６０２側の面に形成された凹空間６０６とを有する。【選択図】    図４
2006208801.tif 000002
【特許請求の範囲】
【請求項１】
三脚を機器に固定すべく前記機器に設けられた三脚座において、三脚座本体と、前記三脚座本体とは別部材として形成されると共に、前記三脚座本体の一方の面に締結される天面部材と、前記三脚座本体を貫通すると共に前記三脚が備えるネジが螺合される雌ネジとを備え、前記天面部材は、前記雌ネジに対応する位置において前記三脚座本体と反対の面に形成された凸部と、該凸部に対応する位置において前記三脚座本体側の面に形成された凹部とを有することを特徴とする三脚座。
【請求項２】
前記三脚座本体及び前記天面部材を締結する複数のビスと、前記複数のビスが螺合されると共に前記三脚座本体及び前記天面部材に形成された複数のビス穴とを備え、前記複数のビス穴は、前記三脚座本体及び前記天面部材において、前記雌ネジを中心に略同心円上に形成されることを特徴とする請求項１記載の三脚座。
【請求項３】
前記複数のビスは、前記三脚座本体及び前記天面部材を締結する少なくとも１つのビスと、前記三脚座本体、前記天面部材、及び他の部材を締結する少なくとも１つのビスとから構成されることを特徴とする請求項１又は２記載の三脚座。
【発明の詳細な説明】
【技術分野】
【０００１】
本発明は、三脚座に関し、特に、三脚をカメラに固定すべくカメラに設けられた三脚座に関する。
【背景技術】
【０００２】
従来より、ダイキャスト一体成形型三脚座（以下、単に「一体成形型三脚座」という）及びダイキャスト非一体型三脚座（以下、単に「非一体型三脚座」という）等の三脚座が知られている。
【０００３】
図８は、従来の一体成形型三脚座の断面図である。
【０００４】
図８において、一体成形型三脚座３００は、板状体３０６と、板状体３０６の中央部に設けられたハブ３０５とを有する。ハブ３０５は、円筒状であり、三脚を取り付ける雌ネジ３０２を軸心に備える。ハブ３０５がカメラ（不図示）の底部に設けられた三脚座孔に嵌合されることにより、三脚座３００はカメラに対して位置決めされる。次に、カメラのキャビネット（不図示）、及び三脚座３００はビス締めにより仮固定される。さらに、カメラ本体及び三脚座３００は、ビス穴３０３、３０４を介してビス締めにより締結される。
【０００５】
図９は、従来の非一体型三脚座の上面図であり、図１０は、図９のＡ‐Ａ線に沿う断面図である。
【０００６】
図９及び図１０において、非一体型三脚座４００は、三脚座本体４０２と、三脚座本体４０２とは別部材として構成された天面部材４０１とを有する。三脚座本体４０２は、三脚を取り付ける雌ネジ４０２を中央に備える。三脚座本体４０２がカメラ（不図示）の底部に設けられた三脚座孔に嵌合されることにより、三脚座４００はカメラに対して位置決めされる。次に、カメラのキャビネット（不図示）、三脚座４００、及び天面部材４０１は、穴５０１〜５０４を介してビス締めにより仮固定される。さらに、カメラ本体及び三脚座４００は、ビス穴４０４、４０５を介してビス締めにより締結される。
【０００７】
三脚座の静圧に対する強度を確保するために、カメラ本体及びその他のカメラ部材とは独立した部材として構成された三脚座において、カメラ本体と、カメラ内機構を支持する部材とカメラ外周を覆う外装部材とにより挟まれ、少なくともカメラ本体及びカメラ内機構を支持する部材と共にビス締め固定される三脚座や（例えば、特許文献１参照）、三脚を取り付ける雌ネジを備えたハブと、ハブの周囲にネジ軸と略直角に張り出し板面がキャビネット内面に当接する板状体とからなる三脚座において、ハブはキャビネットに設けられた孔に嵌合してキャビネット外に突出し、ハブの周囲に張り出した板状体には、キャビネット内面に設けた抜け止め弁及び回動方向位置決め弁がそれぞれ挿入される孔と、キャビネットとビスで結合する雌ネジとを備える三脚座が提案されている（例えば、特許文献２参照）。
【特許文献１】特開２００２―００６３８１号公報
【特許文献２】特開２００３―２６９６９１号公報
【発明の開示】
【発明が解決しようとする課題】
【０００８】
しかしながら、上記一体成形型三脚座３００は、雌ネジ３０２を形成する際に、一度目の加工では不完全ネジが発生してしまうので、不完全ネジ部を除去するために加工負荷の大きい中グリ加工３０１を施す必要がある。また、静圧等に対する十分な強度を確保するために、三脚座３００の天面３０７の厚みを増大する必要がある。
【０００９】
上記非一体型三脚座４００は、三脚座本体４０２と天面部材４０１は別部材として構成されているので、中グリ加工は不要であり、雌ネジ４０３は一度の加工で形成することができるが、カメラのキャビネット、三脚座４００及び天面部材４０１をビス締めする際に、図１０の上方向からビスを締めるので、ビス頭部の厚みが部材の厚み４０６に上乗せされる。即ち、三脚座全体の厚みｔ＝「部材の厚み４０６」＋「ビス頭厚み」となる。また、一体成形型三脚座３００と同様に、静圧等に対する十分な強度を確保するために、天面部材４０１の厚みを増大する必要がある。
【００１０】
上記特許文献１及び２に記載された三脚座は、静圧に対する高い強度を有するが、小型化は成されていない。
【００１１】
本発明の目的は、静圧に対する高い強度を有すると共に、小型化を図ることができる三脚座を提供することにある。
【課題を解決するための手段】
【００１２】
上述の目的を達成するために、請求項１記載の三脚座は、三脚を機器に固定すべく前記機器に設けられた三脚座において、三脚座本体と、前記三脚座本体とは別部材として形成されると共に、前記三脚座本体の一方の面に締結される天面部材と、前記三脚座本体を貫通すると共に前記三脚が備えるネジが螺合される雌ネジとを備え、前記天面部材は、前記雌ネジに対応する位置において前記三脚座本体と反対の面に形成された凸部と、該凸部に対応する位置において前記三脚座本体側の面に形成された凹部とを有することを特徴とする。
【発明の効果】
【００１３】
本発明によれば、三脚座本体とは別部材として形成されると共に、三脚座本体の一方の面に締結される天面部材は、三脚座本体を貫通すると共に三脚が備えるネジが螺合される雌ネジ雌ネジに対応する位置において三脚座本体と反対の面に形成された凸部と、該凸部に対応する位置において三脚座本体側の面に形成された凹部とを有するので、静圧に対する高い強度を有すると共に、小型化を図ることができる。
【発明を実施するための最良の形態】
【００１４】
以下、本発明の実施の形態を図面を参照しながら詳述する。
【００１５】
図１は、本発明の実施の形態に係る三脚座が適用される撮像装置の正面斜視図である。
【００１６】
図１において、デジタルカメラ１００は、写真撮影の開始指示を行うレリーズボタン１０１と、デジタルカメラ１００の電源をオン、オフする電源ボタン１０２と、撮影時の赤目を緩和させるための補助光１０３と、被写体像を観察するためのファインダ１０４と、デジタルカメラ１００の外装であるカメラ筐体１０５と、ストロボ１０６と、撮影光学系を構成している鏡筒１０７とを備える。
【００１７】
補助光１０３は、不図示のファインダブロックに一体に形成されている。ファインダ１０４は、鏡筒１０７のズーム動作に連動して所定のズーム倍率が得られるように位置が変動する。ストロボ１０６は、写真撮影時に低照度の際に発光し、写真撮影の補助をする。
【００１８】
図２は、図１のデジタルカメラ１００の底面斜視図である。
【００１９】
図２において、デジタルカメラ１００は、底面に、三脚座孔２０２と、三脚座孔２０２に設けられると共に、三脚（不図示）をデジタルカメラ１００に固定するための三脚座２０１とを備える。
【００２０】
図３は、図２における三脚座２０１の上面図である。
【００２１】
図３において、本発明の三脚座２０１は、別部材として構成された三脚座本体６０２と天面部材６０１とを有する。三脚座２０１は、三脚座本体６０２及び天面部材６０１に貫通したビス穴７０１〜７０４を備えている。ビス穴７０１〜７０４については後述する。
【００２２】
図４は、図３のＢ−Ｂ線に沿う断面図である。
【００２３】
図４において、三脚座本体６０２は、三脚座本体６０２を貫通すると共に三脚を取り付ける雌ネジ６０３と、ビス穴６０４，６０５とを有する。三脚座本体６０２が図２の三脚座孔２０２に嵌合することにより、三脚座２０１は、撮像装置１００に対して位置決めされる。ビス穴６０４，６０５については、後述する。
【００２４】
天面部材６０１には、雌ネジ６０３に対応する位置に絞り加工が施されており、三脚座本体６０２とは反対方向の面には凸形状６０１が形成され、凸形状６０１の裏側には凹空間６０６が形成されている。
【００２５】
図５は、図３の三脚座２０１の斜視図であり、図６は、図３の三脚座２０１の分解斜視図である。
【００２６】
図５及び図６において、三脚座本体６０２、天面部材６０１は、ビス穴７０１〜７０４を介してビス締めされることによりキャビネット８０１に仮固定される。次に、筐体１０５（図１）及び三脚座本体６０２が、ビス穴６０４、６０５を介してビス締めされことにより、三脚座２０１はデジタルカメラ１００に締結される。
【００２７】
天面部材６０１及び三脚座本体６０２は別部材から構成されているので、雌ネジ６０３を形成するために加工負荷の大きい中グリ加工を施す必要がない。
【００２８】
天面部材６０１は、絞り加工が施されているので、同じ厚みの平板形状の天面部材に比べて強度が高く、もって平板形状の天面部材４０１（図１０）の略半分の厚みで同等の強度を確保することができる。
【００２９】
天面部材６０１の凸形状６０８の裏側に凹空間６０６が形成されているので、雌ネジ６０３の長さは、雌ネジ４０３（図１０）の長さより短くすることができ、もって三脚座の小型化を図ることができる。
【００３０】
天面部材６０１の凸形状６０８の周囲の平板形状の部分に、ビス穴７０１〜７０４が配置されるので、ビスの頭部の厚みが部材の厚み６０７（図４）に上乗せされることがなく、三脚座の小型化を図ることができる。
【００３１】
ビス穴７０１〜７０４は、三脚座本体６０２の雌ネジ６０３の略同心円状に配置されておいるので、４本のビスのそれぞれに均等に外力が加わり、もって三脚座の静圧に対する強度を高くすることができる。
【００３２】
ビス穴７０３は、三脚座本体６０２及び天面部材６０１を締結させており、残りのビス穴７０１，７０２，７０４は、三脚座本体６０２、天面部材６０１、及びキャビネット８０１を締結しているので、ビスの本数を削減することができる。
【００３３】
本実施の形態によれば、三脚座２０１は、別部材として構成された三脚座本体６０２と天面部材６０１とを有し、天面部材６０１に絞り加工を施すことにより、静圧に対する高い強度を有すると共に、小型化を図ることができる。
【００３４】
本発明の天面部材の絞り加工の形状は、上記実施の形態に限定されるものでなく、図７に示すように十字形状９０１であってもよい。
【図面の簡単な説明】
【００３５】
【図１】本発明の実施の形態に係る三脚座が適用される撮像装置の正面斜視図である。
【図２】図１のデジタルカメラの底面斜視図である。
【図３】図２における三脚座の上面図である。
【図４】図３のＢ−Ｂ線に沿う断面図である。
【図５】図３の三脚座の斜視図である。
【図６】図３の三脚座の分解斜視図である。
【図７】本発明の第２の実施の形態に係る三脚座の上面図である。
【図８】従来の一体成形型三脚座の断面図である。
【図９】従来の非一体型三脚座の上面図である。
【図１０】図９のＡ‐Ａ線に沿う断面図である。
【符号の説明】
【００３６】
２０１  三脚座
６０１  天面部材
６０２  三脚座本体
６０３  雌ネジ
６０６  凹空間
６０８  凸形状
【図１】
2006208801.tif 000003
【図２】
2006208801.tif 000004
【図３】
2006208801.tif 000005
【図４】
2006208801.tif 000006
【図５】
2006208801.tif 000007
【図６】
2006208801.tif 000008
【図７】
2006208801.tif 000009
【図８】
2006208801.tif 000010
【図９】
2006208801.tif 000011
【図１０】
2006208801.tif 000012